(57)【要約】【課題】建物の外壁工事において、出入口用窓ガラス戸への塗料等の付着を防止するとともに、作業休止時において、養生シートを取外すことなく、居住者が出入口用窓ガラス戸よりベランダに出られるようにする養生パネルを提供する。【解決手段】建物の出入口用窓ガラス戸の屋外側に設置される養生パネルであって、通行口５を設けた本体部１ａと、該本体部１ａに備えられて、前記通行口５を開閉可能に閉塞する開閉扉４とからなるとともに、これらを透光性を有する板材２で形成し、前記開閉扉４の通行口５に対する閉状態を保持する保持手段を、前記開閉扉４又は前記本体部１ａに設ける。【選択図】図１
2010174447.tif 000002
【特許請求の範囲】
【請求項１】
建物の出入口用窓ガラス戸の屋外側に設置される養生パネルであって、通行口を設けた本体部と、該本体部に備えられて、前記通行口を開閉可能に閉塞する開閉扉とからなるとともに、これらを透光性を有する板材で形成し、前記開閉扉の通行口に対する閉状態を保持する保持手段を、前記開閉扉又は前記本体部に設けたことを特徴とする出入口付養生パネル。
【請求項２】
前記本体部を、その外周縁より内側において、一側部を残して切断して開閉扉が形成され、前記切断されていない一側部を、前記開閉扉のヒンジ部とし、前記通行口を有する本体部と開閉扉とを１枚の板材で形成したことを特徴とする請求項１記載の出入口付養生パネル。
【請求項３】
前記通行口を本体部に貫通孔を開けて形成し、前記通行口の内径寸法より大きい開閉扉を前記本体部に、前記通行口を開閉可能にして設けたことを特徴とする請求項１記載の出入口付養生パネル。
【請求項４】
前記板材を、樹脂製の表板と、裏板と、これらの間を連結する連結片からなる芯材とで形成された板材で形成し、その連結片が上下方向に配置されていることを特徴とする請求項１乃至３の何れか１項に記載の出入口付養生パネル。
【発明の詳細な説明】
【技術分野】
【０００１】
本発明は出入口付養生パネルに関する。
【背景技術】
【０００２】
従来、ビルやマンション等の建物の外壁面の補修、洗浄、塗装等の外壁工事において、建物の窓ガラスやその窓枠（サッシ）が作業中の塗料等の飛散によって汚れることを防止するために、この窓枠全体にビニールシートを窓の外側に配置し、その周囲をテープで窓枠に貼り付けて張設し、窓ガラス及び窓枠への塗料等の付着を防止している。
【発明の概要】
【発明が解決しようとする課題】
【０００３】
しかしながら、前記のように、ビニールシートを窓枠全体に、外側において張設した状態においては、ビニールシートの外周縁を窓枠にテープ等により貼り付けて、接着させた状態となることから、このビニールシートを居住者が室側から出入りをするために一時的に取外すには困難である。
【０００４】
そのため、ベランダに通じる出入口用の窓の窓枠全体に前記のビニールシートを張設した場合には、外壁工事の日程が終了し、張設したビニールシートの取り外しが完了するまで、出入口用の窓の開閉を行ってベランダに出入りすることは困難で、作業の休日や夜間であっても、洗濯物等の出し入れを行うことはできなかった。
【０００５】
そこで本発明は、前記の問題点を解決する出入口付養生パネルを提供することを目的とする。
【課題を解決するための手段】
【０００６】
前記の課題を解決するために、請求項１記載の発明は、建物の出入口用窓ガラス戸の屋外側に設置される養生パネルであって、通行口を設けた本体部と、該本体部に備えられて、前記通行口を開閉可能に閉塞する開閉扉とからなるとともに、これらを透光性を有する板材で形成し、前記開閉扉の通行口に対する閉状態を保持する保持手段を、前記開閉扉又は前記本体部に設けたことを特徴とするものである。
【０００７】
請求項２記載の発明は、請求項１記載の発明において、前記本体部を、その外周縁より内側において、一側部を残して切断して開閉扉が形成され、前記切断されていない一側部を、前記開閉扉のヒンジ部とし、前記通行口を有する本体部と開閉扉とを１枚の板材で形成したことを特徴とするものである。
【０００８】
請求項３記載の発明は、請求項１記載の発明において、前記通行口を本体部に貫通孔を開けて形成し、前記通行口の内径寸法より大きい開閉扉を前記本体部に、前記通行口を開閉可能にして設けたことを特徴とするものである。
【０００９】
請求項４記載の発明は、請求項１乃至３の何れか１項に記載の発明において、前記板材を、樹脂製の表板と、裏板と、これらの間を連結する連結片からなる芯材とで形成された板材で形成し、その連結片が上下方向に配置されていることを特徴とするものである。
【発明の効果】
【００１０】
請求項１記載の発明によれば、本発明の開閉扉を有する出入口付養生パネルを出入口用窓ガラス戸の屋外側に設けることにより、塗料等の窓ガラスへの付着を防止することができるとともに、外壁工事の作業休止時において、養生シートを外すことなく、その養生シートに設けた開閉扉を開閉してその通行口から容易に居住者がベランダに出入りすることが出来る。
【００１１】
また、養生パネル１を透光性を有する板材で形成したことから、日光を室内に透過させることができ、日中において室内を明るく保つことができる。
【００１２】
請求項２記載の発明によれば、更に、１枚の板材により養生パネルを構成できることから、その製造が容易に行える。
【００１３】
更に、開閉扉は、１枚の板材より切り出した形状からなることから、閉状態における、開閉扉と本体部との間の隙間を極めて小さい状態にでき、その隙間より塗料等の出入口用窓ガラス戸への侵入を防止することができる。
【００１４】
請求項３記載の発明によれば、前記請求項１記載の発明の効果に加え、養生パネルが撓んで変形したとしても、開閉扉と本体部との接触面には重合部が所定幅存在することから、塗料がその隙間より内部に侵入することを低減することができる。
【００１５】
請求項４記載の発明によれば、更に、養生パネルを構成する板材を、段ボール状の板材とし、その連結片を上下方向に配置したので、縦方向に腰のある養生パネルとなる。そのため、安価な材料で、腰のある本体部と開閉扉を形成できる。
【図面の簡単な説明】
【００１６】
【図１】本発明における実施例１の出入口付養生パネルの表面側を示す斜視図。
【図２】図１のＣ−Ｃ線断面図。
【図３】図１の裏面側を示す斜視図。
【図４】図１の出入口付養生パネルを建物に設置した状態を示す斜視図。
【図５】図４の縦断面図。
【図６】本発明における実施例２の出入口付養生パネルの表面側を示す斜視図。
【図７】図６のＤ−Ｄ線拡大断面図。
【図８】本発明における実施例３の出入口付養生パネルの表面側を示す斜視図。
【図９】図８のＥ−Ｅ線断面図。
【図１０】図８の裏面側を示す斜視図。
【図１１】図８の出入口付養生パネルを建物に設置した状態を示す斜視図。
【発明を実施するための形態】
【００１７】
本発明を実施するための最良の形態を図１乃至図１１に示す実施例に基づいて説明する。
【実施例１】
【００１８】
図１乃至図５は本発明の実施例１を示す。
本実施例１の出入口付養生パネル（以下養生パネルという）１は、図１に示すように、１枚の樹脂製の板材からなり、好ましくは、プラスチックベニア板と称される段ボール状の板材２を用いる。
【００１９】
該板材（プラスチックベニア板）２は、透光性を有する半透明の樹脂材料で形成された表板２ａと、裏板２ｂと、これらの間を連結する連結片３ａからなる芯材３とでダンボール状に形成されている。該連結片３ａは、図１、図３に示すように、表板２ａと裏板２ｂに対して直交して形成されて、板材２の上下方向（図１のＹ−Ｙ方向）に配置されているとともに、該板材２の上下両端に亘り、かつ、板材２の左右方向（図１のＸ−Ｘ方向）全長に亘って、複数個、並列するように配置されている。
【００２０】
前記の養生パネル１は、図１に示すように、上下方向（図１のＹ−Ｙ方向）を長手方向とする方形に形成され、その上下方向の寸法は後述する建物２０の窓枠２３の上下の枠に達する長さに設定され、左右方向の寸法は、少なくとも、出入口側の１枚の窓ガラス戸、例えば図４の戸２１ａを被覆し、かつ、一方の窓枠に達する長さに設定されている。この寸法は、被覆したい戸を被覆し、かつ、窓枠に止着できる寸法であればよく、建物によって適宜決定される。
【００２１】
前記養生パネル１には、開閉扉４が形成されており、該開閉扉４は、養生パネル１の外周縁より所定幅の内側をカッター等の切断手段によって一側部を残して切断することによって扉の形状に形成されている。
【００２２】
該開閉扉４は、図１に示すように、養生パネル１を表面側（屋外側）Ａから見た場合に左上部（これを上支点６とする）から、その右上部に向って切断し、更に、この切断を、右上部から右下部に向かって弧を描くように切断して右上部に円弧部を形成し、更に、下方へ切断した後に、右下部から左下部（これを下支点７とする）まで切断することで形成されている。
【００２３】
更に、前記により扉の形状に切断された開閉扉４を、養生パネル１の表裏面方向に押圧し、前記上支点６と下支点７とを結ぶ線をヒンジ部４ａ（回転軸Ｚ−Ｚ）として、開閉扉４を回動させることにより、ヒンジ部４ａに折り目を付加し、使用時に、このヒンジ部４ａを中心として開閉するようにする。
【００２４】
このとき、養生パネル１は、前記のように芯材３を、その連結片３ａが上下方向（縦方向）に配置して形成されていることから、上下方向の直線で形成するヒンジ部４ａ（回転軸Ｚ−Ｚ）の折り目を容易に形成でき、開閉扉４を回転軸Ｚ−Ｚを折り目として開閉させることができる。
【００２５】
前記開閉扉４を開状態にすることにより、図２に示すように、養生パネル１における本体部１ａの中央部には、通行口５が養生パネル１の表裏に貫通して形成され、この通行口５より居住者が養生パネル１の中央部を通行することができる。
【００２６】
また、図３に示すように、養生パネル１の裏面側（屋内側）Ｂには、開閉扉４の閉塞状態を保持する保持手段８が設けられている。
【００２７】
該保持手段８は、例えば、片面に粘着剤を有する樹脂製或いは布からなる粘着テープを使用し、該テープ８の一端部８ａを開閉扉４の開閉側である側端部４ｂに粘着し、その他端部８ｂが前記側端部４ｂから側端部４ｂの周縁に位置する本体部１ａに向って突出するように延設され、更に、そのテープ８の先端部を粘着剤の塗布面側へ折返すことによって粘着剤が表に出ない手掛部８ｃを形成している。
【００２８】
前記他端部８ｂは粘着部が露出しており、開閉扉４が閉状態のときには本体部１ａの表面と当接して、本体部１ａに粘着して、開閉扉４の閉状態を保持する。また、開状態にするには、前記手掛部８ｃを部屋側Ｂに引いて他端部８ｂと本体部１ａとの粘着を剥がすことにより、テープ８の一端部８ａが開閉扉４に付着した状態で、開閉扉４を開くことができる。
【００２９】
なお、前記保持手段８は、養生パネル１の大きさによって適宜配置すればよく、１箇所に配置しても、複数個所に配置してもよい。
【００３０】
次に、前記養生パネル１の設置について説明する。
前記養生パネル１は、図４、図５に示すように、ビルやマンション等の建物２０の出入口用窓ガラス戸２１の屋外側に装着する。なお、本実施例１のように、内側窓ガラス戸２１ａと外側窓ガラス戸２１ｂとによって左右一対で構成される窓ガラス戸２１においては、部屋側に位置する内側窓ガラス戸２１ａの屋外側において配置される。
【００３１】
該養生パネル１は、前記のように、その外形寸法を窓の大きさによって、適宜決定され、例えば、図４に示すように、上下方向においては、内側窓ガラス戸２１ａより大きく、窓枠２３に達し、左右方向においては、左右方向の一方が窓枠２３に達し他方が、内側窓ガラス戸２１ａと隣接する外側窓ガラス２１ｂと所定幅、重合するようにする。
【００３２】
次に、この養生パネル１の外周縁に、片面に粘着剤を有する樹脂或いは布からなる粘着テープ１０の側縁を貼着し、該粘着テープ１０の他側縁を窓枠２３において密着固定させるとともに、窓枠２３の外周縁を前記粘着テープ１０でメバリして窓枠２３の露出部が無くなるように被覆する。なお、前記養生パネル１の外側窓ガラス戸２１ｂと隣接する側においては、外側窓ガラス戸２１ｂのフレームに粘着テープ１０を貼着して固定する。
【００３３】
また、外側窓ガラス戸２１ｂの表面には、従来のように、ビニールシート１１が、図４の鎖線で示すように張設され、ビニールシート１１の外周縁と窓枠２３とを粘着テープ１０で貼着することによって、外側窓ガラス戸２１ｂを被覆している。
【００３４】
なお、図４では、窓枠２３を示すために、粘着テープ１０は２点鎖線で示し、また、粘着テープ１０の側縁を窓枠２３の外周縁からずらして図示している。
【００３５】
なお、養生パネル１とビニールシート１１との境界部においては、ビニールシート１１を養生パネル１の上面に重合させ、その重合部におけるビニールシート１１の側端を粘着テープ１０で養生パネル１に貼着することによって密着固定される。
【００３６】
次に使用状態について説明する。
作業の休日や夜間において、居住者がベランダに出る場合には、内側窓ガラス戸２１ａを開けた後、養生パネル１の手掛部８ｃを持ってその他端部８ｂを本体部１ａより剥がし、養生パネル１を屋外側Ａへ押し出して、図２に示すように、開閉扉４を開き、空いた通行口５よりベランダへ出る。
【００３７】
部屋へ戻るときには、開いた開閉扉４を閉めた後に、保持手段８の他端部８ｂを本体部１ａに押し当て、その他端部８ｂを本体部１ａに粘着させて開閉扉４を閉状態に保持する。
【００３８】
以上のことから、本発明の実施例１においては、開閉扉４を有する出入口付養生パネル１を出入口用窓ガラス戸２１の屋外側に設けたことにより、塗料等の窓ガラスへの付着を防止することができるとともに、外壁工事の作業休止時に、養生シートを外すことなく、養生パネルに設けた開閉扉４から容易に居住者がベランダに出入することが出来る。
【００３９】
また、本実施例１の養生パネル１は安価なプラスチック製の板材２を１枚のみ使用して製造することができ、戸数が多い建物２０において大量に設置しても、コストを抑えることができる。
【００４０】
また、開閉扉４は、１枚の板材より切り出した形状からなることから、閉状態における、開閉扉４と本体部１ａとの間の隙間を極めて小さい状態にでき、その隙間より塗料等が出入口用窓ガラス戸２１へ侵入して付着することを防止することができる。
【００４１】
更に、養生パネル１の加工が容易に行えることから、サイズの異なる各出入口用窓ガラス戸２１に、それぞれ適合させて製造することができ、サイズへの柔軟な対応と作業性の効率化を図ることができる。
【００４２】
更に、大きい寸法の出入口用窓ガラス２１に使用した養生パネル１は、その外周縁を切断して、小さくすることができ、寸法の小さい出入口用窓ガラス２１にも流用することができる。
【００４３】
また、養生パネル１を透光性を有する半透明の樹脂製の板材２で形成したことから、日光を室内に透過させることができ、日中において室内を明るく保つことができる。
【００４４】
なお、前記保持手段８は、開閉扉４に設けたが、本体部１ａ側に設けてもよく、また、双方に設けてもよい。
【実施例２】
【００４５】
図６、図７は本発明の実施例２を示す。
本実施例２は、実施例１の養生パネル１における開閉扉４の側端部４ｂと下端部４ｃに、塗料等の室内への侵入を防止する侵入阻止片９を設けたものである。
【００４６】
該侵入阻止片９は、前記保持部材８と同様の粘着テープによって形成され、図６，７に示すように、屋外側Ａにおける開閉扉４の側端部４ｂと下端部４ｃに、長尺の粘着テープの一方の側縁部９ａを所定幅粘着固定させ、その他方の側縁部９ｂを本体部１ａ側に突出させ、該粘着テープの側縁部９ｂを開閉扉４側に折り返して、側縁部９ａ側の粘着テープに粘着させ、本体部４側へ突出するとともに粘着剤が表に出ない係止部９ｃを形成し、この係止部９ｃが開閉扉４の周縁より外側へ突出して設けられている。
【００４７】
前記により、開閉扉４を閉状態とした場合には、侵入阻止片９の係止部９ｃが本体部１ａと重合し、該本体部１ａと開閉扉４との間の隙間Ｇを屋外側Ａより被覆する。
【００４８】
その他の構造は前記実施例１と同様であるため、前記と同一部分には前記と同一符号を付してその説明を省略する。
【００４９】
以上のことから、本発明の実施例２においては、侵入阻止片９を開閉扉４に設けたことにより、本体部１ａと開閉扉４との間の隙間Ｇからの塗料等の侵入を防止できるとともに、開閉扉４の外側表面に塗料等が付着した後、その塗料等が開閉扉４の下方へ流れ落ちたとしても、侵入阻止片９が本体部１ａの外側表面へ導出することから、塗料等が本体部１ａと開閉扉４との間の隙間より室内へ侵入することを阻止することができる。
【００５０】
また、養生パネル１が撓んで変形したとしても、係止部９ｃと本体部１ａとの重合によって、変形による隙間Ｇより塗料が内部に侵入することを阻止することができる。
【００５１】
また、侵入阻止片９が開閉扉４の開閉を屋外側Ａのみに規制することから、誤って塗料等が付着した開閉扉４を部屋側Ｂに開くことがない。
【実施例３】
【００５２】
図８乃至図１１は本発明の実施例３を示す。
本実施例３の出入口付養生パネル３０は、図８に示すように、樹脂製の板材である本体部３１と、本体部３１より小さい寸法の樹脂製の板材である開閉扉３２からなる。なお、本実施例３においても、好ましくは、前記の樹脂製の板材、例えば、前記の表板２ａ、裏板２ｂ、芯材３からなる段ボール状の板材２を用いる。
【００５３】
養生パネル３０の外形寸法は、実施例１の養生パネル１と同様であり、建物２０の出入口用窓ガラス戸２１における窓枠２３の寸法によって適宜決定される。
【００５４】
養生パネル３０には、図９、図１０に示すように、本体部３１の中央部に通行口３３が形成されている。この通行口３３は、前記実施例１と同様に、本体部３１の外周縁より所定幅内側をカッター等の切断手段によって切断するが、実施例１の開閉扉４のような回転軸Ｚ−Ｚを残すことなく切断し、貫通孔として形成されている。
【００５５】
前記の通行口３３の表側（屋外側）Ａには、図８に示すように、通行口３３の上下、左右の内のり寸法より大きい寸法を有する開閉扉３２が設けられている。
【００５６】
該開閉扉３２は、通行口３３の全体を閉塞するように配置され、ヒンジ部３４を構成する粘着テープ３４ａが開閉扉３２の一方の側端部３２ａと本体部３１の表面に亘って、かつ、開閉扉３２の上端から下端まで貼設されている。
【００５７】
これにより、開閉扉３２は本体部３１に備えられ、粘着テープ３４ａからなるヒンジ部３４、すなわち、開閉扉３２の一方の側端部３２ａと本体部３１との接合部が回転軸Ｚ−Ｚとなり、開閉扉３２が開閉可能に支持されている。
【００５８】
更に、図９、図１０に示すように、開閉扉３２の裏面側（部屋側）Ｂには、保持手段３５と把手部３６が備えられ、保持手段３５は、実施例１の保持手段８と同様に粘着テープで構成し、粘着テープの一端部３５ａを本体部３１側に貼着させ、その他端部３５ｂが前記本体部３１から開閉扉３２に向って突出するように延設され、更に、そのテープ３５の先端部を貼着剤の塗布面側へ折返すことによって手掛部３５ｃを形成している。
【００５９】
前記他端部３５ｂは開閉扉３２が閉状態のときには、開閉扉３２の裏面と当接して、開閉扉３２の裏面に粘着し、開閉扉３２の閉状態を保持するようになっている。また、開状態にするには、前記手掛部３５ｃを部屋側Ｂに引いて他端部３５ｂと開閉扉３２の裏面との粘着を剥がし、その保持を解除できる。粘着テープの一端部３５ａは本体部３１に粘着されている。
【００６０】
なお、前記保持手段３５は、養生パネル１の大きさによって適宜配置すればよく、１箇所に配置しても、複数個所に配置してもよい。
【００６１】
把手部３６は、開閉扉３２の裏面で、かつ、通行口３３の内のり内に位置して貼設されており、帯状に形成された粘着テープの中央付近を、粘着剤の塗布されていない面側に山折りして、両面を所定幅接着するとともに、該粘着テープの両端部における残った粘着面を開閉扉３２に粘着固定させて構成されている。
【００６２】
前記により、把手部３６は開閉扉３２の裏面より突出した把手となって、開閉扉３２を開状態から閉状態にする際の引き手となる。
【００６３】
次に、図１１に示すように、前記養生パネル３０の建物２０への設置については、前記実施例１と同様であるので同一部分には、同一符号を付してその説明を省略する。
【００６４】
次に使用状態について説明する。
作業の休日や夜間において、居住者が出入口用窓ガラス戸２１よりベランダに出る場合には、内側窓ガラス戸２１ａを開けた後、手掛部３５ｃを支え持ちながら、開閉扉３２を屋外側Ａへ押圧して屋外側へ開き、空いた通行口３３よりベランダへ出る。
【００６５】
部屋へ戻るときには、開いた開閉扉３２の把手部３６を部屋側へ引いて開閉扉３２を本体部３１に当接させ、保持手段３５の他端部３５ｂを開閉扉３２に押し当て、保持手段３５を開閉扉３２の裏面に粘着させて開閉扉３２を閉状態に保持する。
【００６６】
以上のことから、実施例３の発明においては、前記実施例１と同様の効果を発揮するとともに、回転軸Ｚ−Ｚを粘着テープで構成したことから、開閉扉３２の開閉時の回動方向における負荷が少なく、開閉を繰り返すことによる本体部３１の劣化を少なくすることができる。
【００６７】
また、養生パネル１が撓んで変形したとしても、開閉扉３２と本体部３１には重合部が所定幅存在することから、塗料がその隙間より内部に侵入することを阻止することができる。
【００６８】
また、開閉扉３２は通行口３３より大径に形成されていることより、開閉扉４の開閉を屋外側Ａのみに規制することから、誤って塗料等が付着した開閉扉３２を部屋側Ｂに開くことがない。
【００６９】
また、一度使用した開閉扉３２は、これに通行口３３を形成して本体部３１として作り直すことにより、一度開閉扉３２として使用した窓ガラス戸の寸法より小さい寸法の窓ガラスに対して、本体部３１として流用することができ、一度使用した本体部３１が破損などして使用できなくなったとしても、開閉扉３２を破棄することなく、有効活用することができる。
【００７０】
なお、前記保持手段３５は本体部３１側に設けたが、開閉扉３２側に設けてもよく、また、双方に設けてもよい。
【００７１】
なお、実施例２では、開閉扉４の手掛け部として保持手段８を兼用したが、実施例１，２において、手掛け部として、保持手段８とは別に、実施例３のように、把手部３６を設けてもよい。
【符号の説明】
【００７２】
１    養生パネル
１ａ，３１  本体部
２    板材
２ａ  表板
２ｂ  裏板
３    芯材
３ａ  連結片
４，３２    開閉扉
４ａ，３４  ヒンジ部
５，３３      通行口
８，３５    保持手段
２０  建物
２１  窓ガラス戸
【図１】
2010174447.tif 000003
【図２】
2010174447.tif 000004
【図３】
2010174447.tif 000005
【図４】
2010174447.tif 000006
【図５】
2010174447.tif 000007
【図６】
2010174447.tif 000008
【図７】
2010174447.tif 000009
【図８】
2010174447.tif 000010
【図９】
2010174447.tif 000011
【図１０】
2010174447.tif 000012
【図１１】
2010174447.tif 000013